(57)【要約】【課題】対物レンズがディスクに衝突することなく、迅速に記録層の検出が行える光ディスクの記録層判別装置を提供する。【解決手段】光ディスクの記録層判別装置１において、半導体レーザ２から出射されるレーザ光を光ディスクＤに集光する対物レンズ５と、光ディスクＤからの戻り光を検出する光検出器１１と、光検出器１１で光電変換された信号に基づいて、光ディスクＤに合焦させるフォーカスエラー信号を出力すると共に前記記録層に前記レーザ光が合焦したことを示すＳ字特性を検出するフォーカス制御回路１４と、前記フォーカスエラー信号に基づいて、各記録層２２、２４に応じた対物レンズ５を駆動させるランプ信号を生成するランプ信号発生回路１７、１８と、ランプ信号に基づいて、前記対物レンズを移動させる駆動回路１６と、を備えている。【選択図】      図１
2006228365.tif 000002
【特許請求の範囲】
【請求項１】
光ディスクに複数の記録層が含まれる場合に、各記録層の種類を判別する光ディスクの記録層判別装置において、
前記複数の記録層に対応した記録再生に用いられる所定の波長のレーザ光を出射する半導体レーザと、
前記レーザ光を前記光ディスクに集光する対物レンズと、
前記光ディスクからの戻り光を検出する光検出器と、
前記光検出器で光電変換された信号に基づいて、前記光ディスクに合焦させるフォーカスエラー信号を出力すると共に前記記録層に前記レーザ光が合焦したことを示すＳ字特性を検出するフォーカス制御回路と、
前記フォーカスエラー信号に基づいて、前記各記録層に応じた前記対物レンズを駆動させるランプ信号を生成するランプ信号発生回路と、
前記ランプ信号に基づいて、前記対物レンズを移動させる駆動回路と、
を備えたことを特徴とする光ディスクの記録層判別装置。
【発明の詳細な説明】
【技術分野】
【０００１】
本発明は、複数の記録層を有する光ディスクの記録層判別装置に関する。
【背景技術】
【０００２】
光ディスクが多層の記録層を有する場合に、目的とする記録層の記録再生する方法について、特許文献１に記載されている。
【０００３】
即ち、記録媒体に複数の記録膜が含まれている場合に、前記複数の記録膜の中から所望の記録膜への記録再生を行う際、記録媒体の中周でフォーカス引込み動作を行い、Ｓ字個数を検出するＳ字個数検出回路と、前記Ｓ字個数検出回路との接続、或いは前記Ｓ字個数検出回路との接続しないことの切り替えを行うＳ字個数検出回路切り換えスイッチと、記録再生する目的の記録膜の位置をドライブ制御回路から指示を受けてその順番の記録膜にあったフォーカスエラー信号、トラッキングエラー信号のゲインに切換える２つのスイッチと、フォーカス引込み動作時のＳ字の＋部分の第１コンパレータ回路と、Ｓ字の−部分の第２コンパレータ回路と、焦点移動用の回路とを備えることにより、記録媒体の任意の記録膜位置から別の任意の記録膜の位置に焦点移動できることが記載されている。
【特許文献１】特開平０５−５４３９６号公報
【発明の開示】
【発明が解決しようとする課題】
【０００４】
しかしながら、ＤＶＤ（Ｄｉｊｉｔａｌ  Ｖｅｒｓａｔａｉｌ  Ｄｉｓｃ）とＢＤ（Ｂｌｕ  Ｒａｙ  Ｄｉｓｃ）のように、対物レンズの記録層に対するワーキングディスタンスが大きく異なる場合には、前記対物レンズがディスクに衝突するといった問題があった。
そこで、本発明は、前述の課題に鑑みて提案されるものであって、対物レンズがディスクに衝突することなく、各記録層の検出が行える光ディスクの記録層判別装置を提供することを目的とする。
【課題を解決するための手段】
【０００５】
本願発明は、光ディスクに複数の記録層が含まれる場合に、各記録層の種類を判別する光ディスクの記録層判別装置において、前記複数の記録層に対応した記録再生に用いられる所定の波長のレーザ光を出射する半導体レーザと、前記レーザ光を前記光ディスクに集光する対物レンズと、前記光ディスクからの戻り光を検出する光検出器と、前記光検出器で光電変換された信号に基づいて、前記光ディスクに合焦させるフォーカスエラー信号を出力すると共に前記記録層に前記レーザ光が合焦したことを示すＳ字特性を検出するフォーカス制御回路と、前記フォーカスエラー信号に基づいて、前記各記録層に応じた前記対物レンズを駆動させるランプ信号を生成するランプ信号発生回路と、前記ランプ信号に基づいて、前記対物レンズを移動させる駆動回路と、を備えたことを特徴とする光ディスクの記録層判別装置を提供する。
【発明の効果】
【０００６】
本発明によれば、前記複数の記録層に対応した記録再生に用いられる所定の波長のレーザ光を出射する半導体レーザと、前記レーザ光を前記光ディスクに集光する対物レンズと、前記光ディスクからの戻り光を検出する光検出器と、前記光検出器で光電変換された信号に基づいて、前記光ディスクに合焦させるフォーカスエラー信号を出力すると共に前記記録層に前記レーザ光が合焦したことを示すＳ字特性を検出するフォーカス制御回路と、前記フォーカスエラー信号に基づいて、前記各記録層に応じた前記対物レンズを駆動させるランプ信号を生成するランプ信号発生回路と、前記ランプ信号に基づいて、前記対物レンズを移動させる駆動回路と、を備えているので、対物レンズがディスクに衝突することなく、各記録層の検出が行うことができる。
【発明を実施するための最良の形態】
【０００７】
以下、本発明に係る実施の形態について、図面を参照して詳細に説明する。
図１は、本発明に係る多層光ディスクの記録層判別装置を示すブロック図である。図２は、光ディスクを示す断面図である。図３は、ＨＤの記録層の検出方法を説明するための図であり、（Ａ）はランプ駆動するフォーカスエラー信号を示し、（Ｂ）はＢＤ記録層におけるＳ字特性を示し、（Ｃ）は光ディスクに対する対物レンズの位置を示す。
【０００８】
図１に示すように、光ディスクの記録層判別装置１は、波長６５０ｎｍと波長４０５ｎｍのレーザ光のどちらか一方を出射する半導体レーザ２と、半導体レーザ２から出射されるレーザ光を平行光にするコリメータレンズ３と、コリメータレンズ３から出射されるレーザ光の所定偏光成分を透過し、それ以外を一方の側に反射し、さらに波長６５０ｎｍのレーザ光により記録再生されるＤＶＤ用記録層２２及び波長４０５ｎｍのレーザ光により記録再生されるＢＤ用記録層２４を有する光ディスクＤ（図２参照）からの戻り光を他方の側に反射するビームスプリッタ４と、ビームスプリッタ４を透過した所定偏光成分のレーザ光を光ディスクＤに集光する対物レンズ５と、からなる。
【０００９】
更に、ビームスプリッタ４で一方の側に反射されたレーザ光を集光するレンズ６と、レンズ６で集光されたレーザ光を電気信号に変換する光検出器７と、光検出器７で得られた電気信号を増幅する増幅器８と、増幅器８で増幅された電気信号に基づいて半導体レーザ２から出射されるレーザ光の出力を制御するＡＰＣ（Ａｕｔｏｍａｔｉｃ  Ｐｏｗｅｒ  Ｃｏｎｔｒｏｌ）制御回路９と、からなる。
【００１０】
ビームスプリッタ４で他方の側に反射された光ディスクＤからの戻り光を集光するレンズ１０と、レンズ１０で集光されたレーザ光を電気信号に変換する光検出器１１と、光検出器１１で得られた電気信号を増幅する増幅器１２と、増幅器１２で増幅された電気信号からディジタル信号にするＡ／Ｄ変換器１３と、Ａ／Ｄ変換器１３で変換されたディジタル信号に基づいて、光ディスクＤの記録層２２、２４へのフォーカスを行うディジタルのフォーカス信号を出力すると共にＤＶＤ用記録層２２又はＢＤ用記録層２４にレーザ光が合焦したことを示すＳ字特性を検出するフォーカス制御回路１４と、フォーカス制御回路１４から出力されるディジタルのフォーカス信号をアナログに変換するＤ／Ａ（Ｄｉｊｉｔａｌ／Ａｎａｌｏｇ）変換器１５と、Ｄ／Ａ変換器１５で変換されたアナログのフォーカス信号に基づいて、対物レンズ５を駆動する対物レンズ駆動回路１６と、からなる。
【００１１】
更に、フォーカス制御回路１４とＤ／Ａ変換器１５との間には、切換えスイッチ１９が接続され、この切換えスイッチ１９には、フォーカス制御回路１４から出力されたＢＤ用記録層２４に対するフォーカス制御回路１４から出力されるフォーカスエラー信号に基づいて、対物レンズ５を駆動するランプ信号を出力する第１ランプ信号発生回路１７と、フォーカス制御回路１４から出力されたＤＶＤ用記録層２２に対するフォーカス制御回路１４から出力されるフォーカスエラー信号に基づいて、対物レンズ５を駆動するランプ信号を出力する第２ランプ信号発生回路１８とが並列接続されている。
【００１２】
図２に示すように、光ディスクＤは、厚さ０．６ｍｍの第１基板２０上に反射層２１と、ＤＶＤ用記録層２２と、第２基板２３と、ＢＤ用記録層２４と、厚さ０．１ｍｍのカバー層２５と、が順次積層された構成を有する。第１基板２０と反射層２１との界面からＢＤ用記録層２４とカバー層２５までの界面の間の厚さは、０．５ｍｍであり、光ディスクＤ全体の厚さは１．２ｍｍである。
【００１３】
次に、その動作について説明する。
ここでは、光ディスクＤの記録再生を行った際に、光検出器１１から得られる信号には、フォーカスエラー信号、トラッキングエラー信号、ＲＦ信号があるが、このうちフォーカスエラー信号だけに注目することにする。
また、半導体レーザ２から出射されるレーザ光は、光ディスクＤのカバー層２５側から入射させる。初期状態では、対物レンズ５は、光ディスクＤに衝突しない離れた位置にあり、記録層２２、２４へのフォーカスは、フォーカスエラー信号に基づいて、対物レンズ５が光ディスクＤに近づくようにして行う。
【００１４】
まずは、ＢＤ用記録層２４を検出する場合について説明する。
半導体レーザ２から波長４０５ｎｍのレーザ光を出射し、ビームスプリッタ４で所定偏光成分だけを透過し、対物レンズ５を介して光ディスクＤに照射する。光ディスクＤからの戻り光をビームスプリッタ４で反射して集光レンズ１０を介して光検出器１１に集光させる。
そして、光検出器１１で光電変換され、演算されて得られたフォーカスエラー信号を増幅器１２で増幅した後、Ａ／Ｄ変換器１３でディジタル化してフォーカス制御回路１４に入力する。
【００１５】
切換えスイッチ１９で第1ランプ発生器１７を選択してＤ／Ａ変換器１５に接続し、フォーカス制御回路１４から第1ランプ発生器１７へフォーカス信号を出力し、この第１ランプ発生器１７から発生する駆動信号をＤ／Ａ変換器１５に出力する。
Ｄ／Ａ変換器１５でアナログ信号にして、レンズ駆動部１６から対物レンズ５を駆動する駆動信号を出力して、対物レンズ５を所定の初期位置からランプ駆動させるようにする。この初期位置は、ＢＤ用記録層２４からＳ字特性を得る位置よりも対物レンズ５を光ディスクのカバー層から若干離された位置に設定されている。
【００１６】
次に、図３（Ａ）に示すように、このディジタル化されたフォーカスエラー信号に基づいて、フォーカス制御回路１４からＢＤ用記録層２４に合焦させるためのランプ信号を第１ランプ信号発生回路１７から出力して、対物レンズをランプ駆動させて、Ｄ／Ａ変換器１５でアナログ化して対物レンズ駆動回路１６に出力する。そして、図３（Ｃ）に示すように、対物レンズ５を光ディスクＤに対して所定の距離だけ近づけて停止させ、その停止位置での光ディスクＤからの戻り光を前記と同様にして光検出器１１に集光させる。
【００１７】
図３（Ｂ）に示すように、このサーボ動作をＢＤ用記録層２４に合焦していることを示すＳ字特性が得られるまで行う。
こうして、フォーカス制御回路１４により、ＢＤ用記録層２４の存在を検出することができる。この後、切換えスイッチ１９でフォーカス制御回路１４をＤ／Ａ変換器１５に接続し直して、通常のフォーカス制御を行う。第１ランプ信号発生回路１７からＳ字特性が得られない場合には、ＢＤ用記録層２４は存在しないと判別できる。
【００１８】
次に、ＤＶＤ用記録層２２の検出は、波長６５０ｎｍのレーザ光を用いることにより、ＢＤ用記録層２４の検出と同様に行なうことができる。
この場合、切換えスイッチ１９で第２ランプ信号発生回路１８に接続し、対物レンズ５の初期位置は、ＢＤ用記録層２４の場合に比較して光ディスクよりも離れた位置にする必要がある。
光ディスクの記録層の判別が終了した後は、フォーカスゲインの設定、フォーカス引き込み動作を行なって、記録再生することができる。
【００１９】
以上のように、本発明の実施の形態によれば、光ディスクＤに合焦させるフォーカスエラー信号を出力すると共にＤＶＤ記録層２２或いはＢＤ記録層２４にレーザ光が合焦したことを示すＳ字特性を検出するフォーカス制御回路１４と、フォーカスエラー信号に基づいて、各記録層２２、２４に応じた対物レンズ５を駆動させるランプ信号を生成する第１、２ランプ信号発生回路１７、１８を有するので、対物レンズがディスクに衝突することなく、迅速に記録層の検出を行うことができる。
【図面の簡単な説明】
【００２０】
【図１】本発明に係る多層光ディスクの記録層判別装置を示すブロック図である。
【図２】光ディスクを示す断面図である。
【図３】ＨＤの記録層の検出方法を説明するための図であり、（Ａ）はランプ駆動するフォーカスエラー信号を示し、（Ｂ）はＢＤ記録層におけるＳ字特性を示し、（Ｃ）は光ディスクに対する対物レンズの位置を示す。
【符号の説明】
【００２１】
１…光ディスクの記録層判別装置、２…半導体レーザ、３…コリメータレンズ、４…ビームスプリッタ、５…対物レンズ、６、１０…レンズ、７、１１…光検出器、８、１２…増幅器、９…ＡＰＣ制御回路、１３…Ａ／Ｄ変換器、１４…フォーカス制御回路、１５…Ｄ／Ａ変換器、１６…対物レンズ駆動回路、１７…第1ランプ信号発生回路、１８…第２ランプ信号発生回路、１９…切換えスイッチ、２０…第１基板、２１…反射層、２２…ＤＶＤ用記録層、２３…第２基板、２４…ＢＤ用記録層、２５…カバー層、Ｄ…光ディスク
【図１】
2006228365.tif 000003
【図２】
2006228365.tif 000004
【図３】
2006228365.tif 000005